(57)【要約】【課題】  消しゴムの角の数を調整することが困難で且つ角がなくなることで使用価値の低下をきたすこと。【解決手段】  消しゴム１００の各ブロック１に鉛筆５０を差し込み、ブロック１同士を対向する面で当接させ、各ブロック１の角３が他のブロック１の角３と同じ位置にならないように、各ブロック１を鉛筆５０を中心として回転させる。このようにすれば、複数の角３をもった消しゴム１００を形成できる。消しゴム１００を使用することでブロック１の角３が次第になくなり、また、他のブロック１が邪魔をして他のブロックの角が使いにくい場合もあるが、用いないブロック１を回転させて他のブロック１の邪魔にならないようにすれば使いやすくなる。また、角３がなくなったブロックの一部をカッターナイフにより切断することで、角３を再生できる。【選択図】図１
2011110774.tif 000002
【特許請求の範囲】
【請求項１】
複数の多角形のブロックからなり、各ブロックの厚さがその最大外径より小さく、各ブロックには円柱部材または円筒部材を通して当該ブロックを積層し得る穴を設けたことを特徴とする消しゴム。
【請求項２】
複数の多角形のブロックからなり、各ブロックの厚さがその最大外径より小さく、各ブロックには穴が設けられ、この穴に通し得る円柱部材または円筒部材を備えたことを特徴とする消しゴム。
【請求項３】
更に、各ブロックの厚さがその最大外形の１／２以下１／１０以上であることを特徴とする請求項１または２に記載の消しゴム。
【請求項４】
前記円柱部材または円筒部材の外周面に径方向の溝を周方向に複数形成し、この溝に係合する突起を前記穴の内部に備えたことを特徴とする請求項１〜３のいずれか一つに記載の消しゴム。
【発明の詳細な説明】
【技術分野】
【０００１】
本発明は、角を多く備えた消しゴムに関するものである。
【背景技術】
【０００２】
従来から特許文献１に開示されているような消しゴムの直方体のブロックを互いにずらして組み合わせることで消しゴムの角を多く形成し、当該角により鉛筆で書いた文字や図形を消去するものが知られている。
【０００３】
しかしながら、上記従来の消しゴムでは、角の数が前記ブロック数により決まり、増減できないという問題点がある。また、角がなくなったブロックの使用価値が低下してしまう。解決する課題は、消しゴムの角の数を調整することが困難で且つ角がなくなることで使用価値の低下をきたすことである。
【先行技術文献】
【特許文献】
【０００４】
【特許文献１】特開２００４−０３４６２４号公報
【発明の概要】
【発明が解決しようとする課題】
【０００５】
この発明は上記問題点を解決するためになされたものである。
【課題を解決するための手段】
【０００６】
本発明の消しゴムは、複数の多角形のブロックからなり、各ブロックの厚さがその最大外径より小さく、各ブロックには円柱部材または円筒部材を通して当該ブロックを積層し得る穴を設けたことを特徴とする。
【０００７】
また、本発明の消しゴムは、複数の多角形のブロックからなり、各ブロックの厚さがその最大外径より小さく、各ブロックには穴が設けられ、この穴に通し得る円柱部材または円筒部材を備えたことを特徴とする。
【０００８】
また、本発明の消しゴムは、上記発明において、更に、各ブロックの厚さがその最大外形の１／２以下１／１０以上であることを特徴とする。
【０００９】
また、本発明の消しゴムは、上記発明において、前記円柱部材または円筒部材の外周面に径方向の溝を周方向に複数形成し、この溝に係合する突起を前記穴の内部に備えたことを特徴とする。
【図面の簡単な説明】
【００１０】
【図１】この発明の消しゴムを示す斜視図である。
【図２】図１に示した消しゴムを示す組立図である。
【図３】図１の消しゴムの側面図である。
【図４】図１の消しゴムの正面図である。
【図５】ブロックの切断例を示す説明図である。
【図６】図１に示した消しゴムの変形例を示す説明図である。
【図７】図６に示した消しゴムの使用例を示す説明図である。
【図８】図１に示した消しゴムの別の変形例を示す説明図である。
【発明を実施するための形態】
【００１１】
図１は、この発明の消しゴムを示す斜視図である。図２は、図１に示した消しゴムを示す組立図である。図３は、図１の消しゴムの側面図、図４は正面図である。この消しゴム１００は、正方形の中心に穴２が設けられたブロック１を複数積層する構造であり、この穴２に円柱部材である鉛筆５０を差し込み、各ブロック１が自由に回転するようにしたものである。
【００１２】
ブロック１の厚さｔは、ブロック１の最大外径Ｄよりも小さくする。好ましくは、ブロックの厚さは最大外径の２／３以下１／１０以上、より好ましくは１／２以下１／１０以上、更に好ましくは１／３以下１／１０以上とする。また、前記穴２は、必ずしもブロック１の中心でなくても良い。例えば、当該穴２を中心から偏芯させて設けることで、ブロック１の角３をランダムに突出させることができるためである。
【００１３】
具体的には、各ブロック１の厚さは、５ｍｍ以上１５ｍｍ以下とするのが好ましい。また各ブロック１の一辺は、２０ｍｍ以上３５ｍｍ以下とするのが好ましい。積層するブロック１の数は、２個以上であればいくらでもよく、これは鉛筆５０の長さに余裕があればその分だけ多く積層できる。ブロック１に形成する穴２は、標準的な鉛筆５０の直径よりも小さめに設定し、鉛筆５０を差し込んだ際に一定の絞まりが得られるようにする。
【００１４】
次に、この消しゴム１００の使用方法について説明する。ブロック１を３個用いる場合を例に挙げると、まず消しゴム１００の各ブロック１に鉛筆５０を差し込み、ブロック１同士が対向する面で当接するようにする。そして、各ブロック１の角３が他のブロック１の角３と同じ位置にならないように、各ブロック１を鉛筆５０を中心として回転させる。このようにすれば、複数の角３をもった消しゴム１００を形成できる。
【００１５】
続いて、消しゴム１００を使用することでブロック１の角３が次第になくなり丸くなっていく。また、他のブロック１が邪魔をして他のブロックの角が使いにくい場合もある。このような場合には、用いないブロック１を回転させて他のブロック１の邪魔にならないようにすればよい。或いは、そのようなブロック１は鉛筆５０から取り外してしまえばよい。
【００１６】
また、各ブロック１の厚さは５ｍｍ以上１５ｍｍ以下であるので、角３がなくなったブロックを鉛筆５０から取り外し、カッターナイフ等を用いて再び角３を形成することができる。例えば、角３がなくなったブロックの一部を図５に示すような切断線６０でカッターナイフにより切断することで、角３を再生できる。そして角３を再生したブロック１を再び鉛筆５０に装着すれば、他のブロック１と一緒に使用できる。
【００１７】
なお、上記ブロック１の穴２には鉛筆５０を差し込むようにしたが、図６に示すように、鉛筆５０と略同径の円柱部材５または円筒部材６を差し込むことで、独立した消しゴム１００として用いることができる。
【００１８】
以上、この発明の消しゴム１００によれば、消しゴム１００に複数の角３を形成でき且つその角３を使いやすくできる。また、ブロック１の角３の再生も容易である。更に、鉛筆５０に装着して使用できるし、消しゴム１００を単独で用いることもできる。
【００１９】
また、図６に示した円筒部材６の内径を鉛筆５０の外径に対して絞まり嵌めとなるようにし、当該円筒部材６に対して鉛筆５０を差し込むようにしても良い。また、図７に示すように、円筒部材６の両側から短くなった鉛筆５０を差し込むことで当該鉛筆を有効利用できる。
【００２０】
更に、図８に示すように、前記円柱部材５または円筒部材６の外周面に軸方向の溝２０を複数形成し、この複数の溝２０は周方向に均等に形成されるようにし、一方でブロック１の穴２の内側に突起２１を形成して当該突起２１を前記溝２０に差し込むことで周方向の回転を固定するようにしてもよい。このようにすれば、消しゴム使用時にブロック１が円柱部材５または円筒部材６の周方向に移動してしまうことを防止できる。また、ブロック１を回転させるときはブロック１を円柱部材５または円筒部材６から引き抜いて所定角度回してから再び差し込む。これにより、ブロック１は所定の角度ごとに回転固定される。
【００２１】
なお、上記実施の形態ではブロック１の形状を正方形としたが、三角形でもよいし、五角形以上としても良い。また、上記実施の形態では鉛筆５０を例に挙げたが、比較的外径が均一なノック式ペンシルに用いるようにしても良い。
【符号の説明】
【００２２】
１００  消しゴム
１  ブロック
２  穴
３  角
６  円筒部材
５０  鉛筆
【図１】
2011110774.tif 000003
【図２】
2011110774.tif 000004
【図３】
2011110774.tif 000005
【図４】
2011110774.tif 000006
【図５】
2011110774.tif 000007
【図６】
2011110774.tif 000008
【図７】
2011110774.tif 000009
【図８】
2011110774.tif 000010